(57)【要約】【課題】カムピンに力が加わるのを抑えることができると共に、コストの増加を防ぐことができる鏡枠及び撮像装置を提供する。【解決手段】鏡枠１は、複数のズームレンズ２，３（３ａ，３ｂ）と、ズームレンズ２，３（３ａ，３ｂ）を支持する複数のズームレンズ支持枠４，５と、複数のズームレンズ支持枠４，５にそれぞれ設けられた複数のカムピン６，７と、複数のカムピン６，７に係合する複数のカム溝部８ａ，８ｂが形成され、複数のズームレンズ支持枠４，５をそれらの光軸方向Ｄ１に移動させるカム部材８と、複数のズームレンズ支持枠４．５を移動可能に支持する固定枠１３と、複数のズームレンズ支持枠４，５の少なくとも１つ（ズームレンズ支持枠４）に設けられた当接部分４ａと、固定枠１３に設けられ、ズームレンズ支持枠４が広角側の端部又は望遠側の端部に移動した際にズームレンズ支持枠４の当接部分４ａに当接する被当接部分１３ｅと、を備える。【選択図】図２
2012063476.tif 000002
【特許請求の範囲】
【請求項１】
複数のズームレンズと、
前記ズームレンズを支持する複数のズームレンズ支持枠と、
前記複数のズームレンズ支持枠にそれぞれ設けられた複数のカムピンと、
前記複数のカムピンに係合する複数のカム溝部が形成され、前記複数のズームレンズ支持枠をそれらの光軸方向に移動させるカム部材と、
前記複数のズームレンズ支持枠を移動可能に支持する固定枠と、
前記複数のズームレンズ支持枠の少なくとも１つに設けられた当接部分と、
前記固定枠に設けられ、前記ズームレンズ支持枠が広角側の端部又は望遠側の端部に移動した際に当該ズームレンズ支持枠の前記当接部分に当接する被当接部分と、を備えることを特徴とする鏡枠。
【請求項２】
前記当接部分と前記被当接部分とは、前記カムピンが前記カム溝部の端部に到達する前に当接することを特徴とする請求項１に記載の鏡枠。
【請求項３】
前記複数のカム溝部の少なくとも１つは、前記当接部分と前記被当接部分とが当接状態となる際に前記カムピンが挿入されている部分の幅が、前記当接部分と前記被当接部分とが当接状態とならない際に前記カムピンが挿入されている部分の幅よりも広いことを特徴とする請求項１に記載の鏡枠。
【請求項４】
前記複数のカムピンは、前記光軸方向に交差して前記複数のズームレンズ支持枠にそれぞれ立設され、
前記カム板部材は、回動することで前記第１のズームレンズ支持枠及び前記第２のズームレンズ支持枠をそれらの光軸方向に移動させることを特徴とする請求項１に記載の鏡枠。
【請求項５】
請求項１乃至４のいずれか１項に記載の鏡枠と、
前記鏡枠からの出射光を受光して撮像信号を出力する撮像素子と、
前記鏡枠の少なくともズームレンズ制御を行う制御部と、を備えることを特徴とする撮像装置。
【発明の詳細な説明】
【技術分野】
【０００１】
本発明は、光軸方向に移動可能な複数のズームレンズ支持枠を備える鏡枠、及びこの鏡枠を備える撮像装置に関する。
【背景技術】
【０００２】
一般に、撮像装置に用いられる鏡枠のズーム機構は、カム溝にカムピンを係合させてレンズ群を駆動する。このような機構では、外力が加わった際にカム溝からカムピンが脱落して撮像装置が使えなくなる状況を防止する必要がある。
【０００３】
例えば、特許文献１には、外力が加わった際における、カムピンのカム溝からの脱落防止機構が開示されている。
特許文献１に開示されている技術では、カム機構には、カム溝に平行にカム溝よりも幅の広い補助のカム溝が設けられ、カムピンとカム溝とが係合するのとは別に、脱落防止用のカムピンと補助のカム溝とが係合している。
【０００４】
また、特許文献１の技術では、補助のカム溝の繰り出し側と繰り込み側には、光軸方向の突き当て部分となる平面部が設けられている。また、脱落防止用のカムピンは、補助のカム溝の突き当てと当接することで、カムピンがカム溝から脱落するのを防止している。
【先行技術文献】
【特許文献】
【０００５】
【特許文献１】特開２００９−２１１１０２号公報
【発明の概要】
【発明が解決しようとする課題】
【０００６】
しかしながら、特許文献１の技術では、外力が加わった際、脱落防止用のカムピンで外力を支える構成となっており、例えば脱落防止用のカムピンが抜けたり、カム溝に打痕が生じたりしてしまうことが危惧される。
【０００７】
また、カムピンとは別の脱落防止用のカムピンが必要なため、部品点数が増えてしまい、ひいてはコストが増加する。
【０００８】
そこで本発明は、前述した課題に鑑みてなされたものであり、カムピンに力が加わるのを抑えることができると共に、コストの増加を防ぐことができる鏡枠及び撮像装置の提供を目的とする。
【課題を解決するための手段】
【０００９】
前述した目的を達成するために、本発明の態様のひとつである鏡枠は、複数のズームレンズと、ズームレンズを支持する複数のズームレンズ支持枠と、複数のズームレンズ支持枠にそれぞれ設けられた複数のカムピンと、複数のカムピンに係合する複数のカム溝部が形成され、複数のズームレンズ支持枠をそれらの光軸方向に移動させるカム部材と、複数のズームレンズ支持枠を移動可能に支持する固定枠と、複数のズームレンズ支持枠の少なくとも１つに設けられた当接部分と、固定枠に設けられ、ズームレンズ支持枠が広角側の端部又は望遠側の端部に移動した際にズームレンズ支持枠の当接部分に当接する被当接部分と、を備えることを特徴とする。
【００１０】
また、本発明の別の態様のひとつである撮像装置は、本発明に係る鏡枠と、鏡枠からの出射光を受光して撮像信号を出力する撮像素子と、鏡枠の少なくともズームレンズ制御を行う制御部と、を備えることを特徴とする。
【発明の効果】
【００１１】
本発明によれば、カムピンに力が加わるのを抑えることができると共に、コストの増加を防ぐことができる鏡枠及び撮像装置を提供できる。
【図面の簡単な説明】
【００１２】
【図１】本発明の一実施の形態に係る撮像装置の概略構成を示す正面図である。
【図２】本発明の一実施の形態に係る撮像装置の内部の概略構成を示す断面図である。
【図３】図２のＡ部拡大図である。
【図４】比較例に係る撮像装置の概略構成を示す正面図である。
【図５】比較例に係る撮像装置の内部の概略構成を示す断面図である。
【図６】図５のＢ部拡大図である。
【発明を実施するための形態】
【００１３】
以下、本発明の一実施の形態に係る鏡枠及び撮像装置について、図面を参照しながら説明する。
図１は、本発明の一実施の形態に係る撮像装置１００の概略構成を示す正面図である。
【００１４】
図２は、撮像装置１００の内部の概略構成を示す断面図である。
図３は、図２のＡ部拡大図である。
【００１５】
図１及び図２に示すように、撮像装置１００は、鏡枠１と、この鏡枠１からの出射光を受光して撮像信号を出力する撮像素子１１１を有する撮像素子基板１１０と、鏡枠１の少なくともズームレンズ制御を行う制御部１２０と、を備える。撮像装置１００は、例えば、携帯電話機等の通信機器、或いはその他の電子機器に配置される。
【００１６】
鏡枠１は、複数のズームレンズの一例である第１のズームレンズ２及び第２のズームレンズ３（３ａ，３ｂ）と、複数のズームレンズ支持枠の一例である第１のズームレンズ支持枠４及び第２のズームレンズ支持枠５と、複数のカムピンの一例である第１のカムピン６及び第２のカムピン７と、カム部材の一例であるカム板部材８と、撮像レンズ９と、プリズム（折り曲げ光学素子の一例）１０ａ及び入射レンズ１０ｂを有する折り曲げ光学系１０と、駆動部１１と、動力伝達部を構成するギア列１２と、固定枠１３と、ガイド軸１４と、を備える。
【００１７】
図２に示すように、第１のズームレンズ２は、第１のズームレンズ支持枠４により支持されている。本実施の形態では２つ配置された第２のズームレンズ３（３ａ，３ｂ）は、第２のズームレンズ支持枠５により支持され、第１のズームレンズ２よりも光軸方向Ｄ１の出射側（図中下方）に位置する。
【００１８】
図２に示すように、第１のズームレンズ支持枠４及び第２のズームレンズ支持枠５は、互いに独立して移動可能に、光軸方向Ｄ１（光軸Ａ１）に延びるガイド軸１４によって支持されている。このガイド軸１４は固定枠１３に固定されているため、第１のズームレンズ支持枠４及び第２のズームレンズ支持枠５は、固定枠１３によって間接的に移動可能に支持されているといえる。なお、ガイド軸１４が固定枠１３と一体である場合のように、第１のズームレンズ支持枠４及び第２のズームレンズ支持枠５が固定枠１３によって直接的に支持されるようにしてもよい。ガイド軸１４には、第１のズームレンズ支持枠４と第２のズームレンズ支持枠５とを互いに遠ざかる方向に付勢する図示しない圧縮バネ（付勢機構の一例）が設けられている。
【００１９】
図１及び図２に示すように、第１のカムピン６は、第１のズームレンズ支持枠４に光軸方向Ｄ１に直交（交差）して設けられている。また、第２のカムピン７は、第２のズームレンズ支持枠５に光軸方向Ｄ１に直交（交差）して設けられている。
【００２０】
本実施の形態では、第１のカムピン６及び第２のカムピン７は、第１のズームレンズ支持枠４及び第２のズームレンズ支持枠５とは独立した部材で、第１のズームレンズ支持枠４及び第２のズームレンズ支持枠５に固定されているが、第１のズームレンズ支持枠４及び第２のズームレンズ支持枠５と一体に形成されたカムピンであってもよい。
【００２１】
図１に示すように、カム板部材８は、ギア列１２のうちの１つのギア１２ａに噛合する歯８ｃが外周に形成された円板形状を呈し、中央には中央貫通孔８ｄが形成されている。また、カム板部材８は、中央貫通孔８ｄにおいて、固定枠１３に設けられたカム板回動軸ピン１３ａにより回動可能に支持されている。このカム板回動軸ピン１３ａは、光軸方向Ｄ１に直交（交差）し、カム板部材８の回動軸として機能する。
【００２２】
なお、本実施の形態ではカム板部材８が３６０度回動しないため、歯８ｃは、カム板部材８の外周の一部のみに形成されている。また、カム板部材８の材料は特に限定されないが、カム板部材８を薄板とすることで鏡枠１や撮像装置１００を薄くすることができるため、特にカム板部材８を薄くする場合には、撮像装置１００の落下耐性等の観点からは金属を用いて強度を確保するのが好ましい。
【００２３】
カム板部材８には、第１のカムピン６に係合する第１のカム溝部８ａと、第２のカムピン７に係合する第２のカム溝部８ｂとが、カム板部８の周方向に、本実施の形態では厚み方向に貫通して形成されている。これら第１のカム溝部８ａ及び第２のカム溝部８ｂは、周方向の一方にいくほど中央貫通孔８ｄとの距離が長くなり、周方向の他方にいくほど中央貫通孔８ｄとの距離は短くなるように、互いに独立して形成されている。
【００２４】
そのため、第１のカムピン６及び第２のカムピン７との第１のカム溝部８ａ及び第２のカム溝部８ｂの係合位置は、カム板部材８が回動することで変化し、第１のカムピン６及び第２のカムピン７が設けられた第１のズームレンズ支持枠４及び第２のズームレンズ支持枠５が光軸方向Ｄ１に接近するか又は遠ざかるように移動する。
【００２５】
なお、第１のカムピン６及び第２のカムピン７は、固定枠１３に設けられ光軸方向Ｄ１に延びるカムピン貫通用溝１３ｃ，１３ｄを貫通してカム板部材８の第１のカム溝部８ａ及び第２のカム溝部８ｂに挿入されている。
【００２６】
本実施の形態では、カム板部材８が図１の正面視において時計回りに回転すると、図１に示すように、第１のカムピン６及び第２のカムピン７が第１のカム溝部８ａ及び第２のカム溝部８ｂに沿って中央貫通孔８ｄ（カム板回動軸ピン１３ａ）から遠ざかって、第１のズームレンズ支持枠４及び第２のズームレンズ支持枠５が広角側に移動する。
【００２７】
一方、カム板部材８は、図１の正面視において反時計回りに回転すると、第１のカムピン６及び第２のカムピン７が第１のカム溝部８ａ及び第２のカム溝部８ｂに沿って中央貫通孔８ｄ（カム板回動軸ピン１３ａ）に近づいて、第１のズームレンズ支持枠４及び第２のズームレンズ支持枠５が望遠側に接触移動する。
【００２８】
ここで、図１及び図２に示すように第１のズームレンズ支持枠４及び第２のズームレンズ支持枠５が広角側の端部に移動した際には、図２のＡ部拡大図である図３に示すように、第１のズームレンズ支持枠４は、平面部（当接部分の一例）４ａにおいて固定枠１３の平面部（被当接部分の一例）１３ｅに当接する。
【００２９】
本実施の形態では、第１のズームレンズ支持枠４の平面部４ａは、第１のズームレンズ支持枠４の周縁の上面（光軸方向Ｄ１の入射側の面）の一部に、光軸方向Ｄ１と直交するように設けられている。
【００３０】
また、本実施の形態では、固定枠１３の平面部１３ｅは、カム板部材８を収容するカム板収容凹部１３ｂの内側に、第１のズームレンズ支持枠４の平面部４ａに対向するように光軸方向Ｄ１と直交して設けられている。
【００３１】
第１のカム溝部８ａは、平面部４ａ，１３ｅが互いに当接する当接状態となる際（図１及び図２に示す状態のとき）に、第１のカムピン６と当接しないように、周方向の広角側（８ａ−１側）に余裕を持った長さに形成されている。そのため、平面部４ａ，１３ｅは、第１のカムピン６が第１のカム溝部８ａの端部に到達する前に互いに当接する。
【００３２】
また、図１に示すように、第１のカム溝部８ａは、平面部４ａ，１３ｅが当接状態となる際に第１のカムピン６が挿入されている部分である、広角側の端部から所定長さ部分８ａ−１において、他の部分よりも幅方向の両側に長さＧ１ずつ拡がっており、幅Ｗ２が他の部分の幅Ｗ１よりも広い（Ｗ２＝Ｗ１＋２×Ｇ１）。
【００３３】
そのため、図３に示すように、第１のカムピン６と第１のカム溝部８ａとは、平面部４ａ，１３ｅが互いに当接しても、第１のカム溝部８ａの周方向のみならず幅方向でも当接せず、幅方向の両側に隙間Ｇ１が形成されている。したがって、鏡枠１（撮像装置１００）に落下等で外力が加わっても、カム板部材８から第１のカムピン６には力が加わらない。
【００３４】
図２に示すように、撮像レンズ９は、第１のズームレンズ２及び第２のズームレンズ３（３ａ，３ｂ）よりも光軸方向Ｄ１の出射側に位置する。具体的には、撮像レンズ９は、鏡枠１の下端に位置し、固定枠１３により支持されている。
【００３５】
折り曲げ光学系１０のプリズム１０ａは、第１のズームレンズ２及び第２のズームレンズ３（３ａ，３ｂ）よりも光軸方向Ｄ１の入射側に位置し、入射光（入射光軸Ａ２）を直角に折り曲げる。
入射レンズ１０ｂは、プリズム１０ａの入射光軸方向Ｄ２の入射側に位置する。
【００３６】
図１および図２に示すように、前述のカム板部材８は、固定枠１３のカム板収容凹部１３ｂに外側から収容され、図２に示すように、第１のズームレンズ支持枠４及び第２のズームレンズ支持枠５よりも、入射レンズ１０ｂの入射光軸方向Ｄ２の入射側方向（図中左側）に設けられている。
【００３７】
入射レンズ１０ｂは、入射光軸方向Ｄ２の入射側に固定枠１３から突出している。そして、カム板部材８は、前述のように回動中心となるカム板回動軸ピン１３ｂが光軸方向Ｄ１に直交するように設けられており、光軸方向Ｄ１と平行に配置されている。また、カム板部材８は、入射レンズ１０ｂの入射面よりも入射光軸方向Ｄ２の入射側方向に突出しない位置に設けられている。
【００３８】
駆動部１１は、少なくとも一部がプリズム１０ａの反射面１０ａ−１の背面側に位置する。また、駆動部１１は、図１に示すギア列１２を回動（即ち両方向に回転）させる。駆動部１１の動力は、複数のギア１２ｃ，１２ｂ，１２ａを有するギア列１２によってカム板部材８に伝達される。ギア列１２のギア１２ｃ，１２ｂ，１２ａは、回動可能に固定枠１３に対して固定されている。なお、カム板部材８側のギア１２ａは、前述のように、カム板部材８の歯８ｃに噛合して、カム板部材８を回動させる。
【００３９】
図２に示す制御部１２０は、駆動部１１の駆動制御を行うことで、第１のズームレンズ支持枠４及び第２のズームレンズ支持枠５の移動制御、即ちズームレンズ制御を行う。なお、制御部１２０は、鏡枠１のズームレンズ制御以外に、例えば撮像素子１１１から出力される撮像信号を処理するなどの他の制御を行うようにしてもよい。
【００４０】
撮像素子基板１１０は、撮像レンズ９の光軸方向Ｌ１の出射側において、例えば、固定枠１３の底板等に固定されている。撮像素子基板１１０の撮像素子１１１は、鏡枠１からの出射光、即ち撮像レンズ９からの出射光を受光して撮像信号を出力する。この撮像信号は、例えば、図２に示す前述の制御部１２０に送られる。
【００４１】
ここで、前述の撮像装置１を用いたズームレンズ制御について説明するが、前述の説明と重複する点については適宜省略しながら説明する。
まず、第１のズームレンズ支持枠４及び第２のズームレンズ支持枠５を互いに遠ざかる方向である広角側に移動させる場合について説明する。
【００４２】
図２に示す制御部１２０は、駆動部１１を駆動し、ギア列１２を介してカム板部材８に動力を伝達する。このとき、図１に示すように、ギア列１２のうちカム板部材８側のギア１２ａは、カム板部材８の外周の一部に設けられた歯８ｃに噛合し、カム板部材８を図１の正面視において時計回りに回転させる。
【００４３】
これにより、図１に示すように、カムピン貫通用溝１３ｃ，１３ｄを貫通する第１のカムピン６及び第２のカムピン７は、カム板部材８の周方向に延びる第１のカム溝部８ａ及び第２のカム溝部８ｂに沿って中央貫通孔８ｄ（カム板回動軸ピン１３ａ）から遠ざかる。このようにして、第１のカムピン６が設けられた第１のズームレンズ支持枠４、及び第２のカムピン７が設けられた第２のズームレンズ支持枠５は、互いに遠ざかって広角側に移動する。
【００４４】
ここで、前述のように、第１のズームレンズ支持枠４は、平面部４ａにおいて固定枠１３の平面部１３ｅに当接する。
一方、第１のカム溝部８ａは、前述のように、平面部４ａ，１３ｅが互いに当接する当接状態となる際に第１のカムピン６と当接しないように周方向に余裕を持った長さに形成されている。そのため、平面部４ａ，１３ｅは、第１のカムピン６が第１のカム溝部８ａの端部に到達する前に互いに当接する。
【００４５】
また、第１のカム溝部８ａは、前述のように、平面部４ａ，１３ｅが当接状態となる際に第１のカムピン６が挿入されている部分である、広角側の端部から所定長さ部分８ａ−１において、他の部分よりも幅方向の両側に長さＧ１ずつ拡がっており、幅Ｗ２が他の部分の幅Ｗ１よりも広い（Ｗ２＝Ｗ１＋２×Ｇ１）。
【００４６】
そのため、図３に示すように、平面部４ａ，１３ｅが互いに当接しても、第１のカムピン６と第１のカム溝部８ａとは、第１のカム溝部８ａの周方向のみならず幅方向でも当接せず、幅方向に隙間Ｇ１が形成されている。したがって、鏡枠１（撮像装置１００）に落下等で外力が加わっても、カム板部材８から第１のカムピン６には力が加わらない。
【００４７】
なお、第２のカム溝部８ｂも、第２のカムピン７が第２のカム溝部８ｂの端部に当接しないように、周方向に余裕を持った長さで且つ幅を広くするとよい。
【００４８】
次に、第１のズームレンズ支持枠４及び第２のズームレンズ支持枠５を互いに接近する方向である望遠側に移動させる場合について説明する。
この場合、駆動部１１のモータ１１ａ及びギア列１２は、カム板部材８を図１の正面視において反時計回りに回転させる。
【００４９】
これにより、第１のカムピン６及び第２のカムピン７は、カム板部材８の第１のカム溝部８ａ及び第２のカム溝部８ｂに沿って中央貫通孔８ｄ（カム板回動軸ピン１３ａ）に接近する。このようにして、第１のカムピン６が設けられた第１のズームレンズ支持枠４、及び第２のカムピン７が設けられた第２のズームレンズ支持枠５は、互いに接近して望遠側に移動する。
【００５０】
なお、本実施の形態では、ガイド軸１４に設けた前述の圧縮バネ（付勢機構）により第１のズームレンズ支持枠４と第２のズームレンズ支持枠５とを互いに遠ざかる方向である広角側に付勢している。そのため、本実施の形態では、望遠側では、固定枠１３並びに第１のズームレンズ６及び第２のズームレンズ７に、当接部分及び被当接部分を設けていない。しかしながら、望遠側にも当接部分及び被当接部分を設けてもよい。また、例えば付勢機構の付勢方向が望遠側である場合には、望遠側のみに当接部分及び被当接部分を設けてもよい。
【００５１】
図４及び図５に示す撮像装置２００の鏡枠２１は、第１のズームレンズ支持枠２２、カム板部材２３及び固定枠２４のみ、図１及び図２に示す鏡枠１（第１のズームレンズ支持枠４、カム板部材８及び固定枠１３）と相違する。
【００５２】
本比較例では、図５及び図６に示すように、第１のズームレンズ支持枠２２（及び第２のズームレンズ支持枠２３）並びに固定枠２４には、当接部分４ａ，１３ｅは設けられておらず、図５のＢ部拡大図である図６に示すように、第１のズームレンズ支持枠２２が広角側に移動しても固定枠２４には当接しない（隙間Ｇ２）。そのため、第１のズームレンズ支持枠２２及び第２のズームレンズ支持枠５が広角側の端部に移動した際には、図示はしないが、第１のカムピン６は第１のカム溝部２３ａの周方向の端部に当接する。
【００５３】
また、本比較例のカム板部材２３の第１のカム溝２３ａの幅は、周方向に亘って同一であり、周方向の位置によらず第１のカムピン６に当接した状態で第１のカムピン６と係合する。そのため、第１のズームレンズ支持枠２２及び第２のズームレンズ支持枠５が広角側の端部に移動した際には、図示はしないが、第１のカムピン６は、第１のカム溝部２３ａの周方向のみならず第１のカム溝部２３ａの幅方向にも当接する。そのため、第１のカムピン６には大きな力が加わることになる。
【００５４】
なお、カム板部材２３の第２のカム溝部２３ｂ（８ｂ）、歯２３ｃ（８ｃ）及び中央貫通孔２３ｄ（８ｄ）は、前述のカム板部材８と同様である。
また、固定枠２４は、カム板回動軸ピン２４ａ（１３ａ）、カム板収容凹部２４ｂ（１３ａ）及びカムピン貫通用溝２４ｃ，２４ｄ（１３ｃ，１３ｄ）を有する点では、前述の実施の形態の固定枠１３と同様である。
【００５５】
以上説明した本実施の形態に係る鏡枠１及び撮像装置１００では、複数のズームレンズ支持枠４，５の少なくとも１つとしての第１のズームレンズ支持枠４に、当接部分としての平面部４ａが設けられ、また、複数のズームレンズ支持枠４，５を移動可能に支持する固定枠１３に、被当接部分としての平面部１３ｅが設けられている。これらの平面部４ａ，１３ｅは、第１のズームレンズ支持枠４が広角側の端部（又は望遠側の端部）に移動した際に、互いに当接する。
【００５６】
そのため、鏡枠１（撮像装置１００）に落下等で外力が加わっても、平面部４ａ，１３ｅにおいて力を受けることができ、第１のカムピン６が抜けたり、第１のカム溝部８ａに打痕が生じたりしてしまうのを防ぐことができる。また、脱落防止用の別個のカムピンなど他の部材を用いなくともよいため、部品点数を増やすなどしてコストが増加するのを抑えることができる。
【００５７】
よって、本実施の形態によれば、カムピン（第１のカムピン６）に力が加わるのを抑えることができると共に、コストの増加を防ぐことができる鏡枠１及び撮像装置１００を提供できる。
【００５８】
また、本実施の形態では、平面部４ａ，１３ｅは、第１のカムピン６が第１のカム溝部８ａの端部に到達する前に当接する。そのため、カムピン（第１のカムピン６）に力が加わるのを確実に抑えることができる。
【００５９】
また、本実施の形態では、第１のカム溝部８ａ（複数のカム溝部の少なくとも１つ）は、平面部４ａ，１３ｅが当接状態となる際に第１のカムピン６が挿入されている部分８ａ−１の幅Ｗ２が、当接状態とならない際に第１のカムピンが挿入されている部分の幅Ｗ１よりも広い。そのため、カム溝部（第１のカム溝部８ａ）の幅方向へカムピン（第１のカムピン６）に力が加わるのを抑えることができる。
【００６０】
また、本実施の形態では、複数のカムピン６，７は、光軸方向Ｄ１に交差して第１のズームレンズ支持枠４及び第２のズームレンズ支持枠５にそれぞれ立設され、カム板部材８は、回動することで第１のズームレンズ支持枠４及び第２のズームレンズ支持枠５をそれらの光軸方向Ｄ１に移動させる。そのため、カム板部材８が板形状（本実施の形態では円板形状）を呈することで、カム板部材８の配置スペースを薄くすることができ、例えばプリズム１０ａ、第１のズームレンズ支持枠４、第２のズームレンズ支持枠５等の周囲のスペースを縮小することができる。また、カム板部材８を回動させることで、減速比を大きくとることができ、ギヤを沢山並べて減速したり、又は大きなトルクを有する大きなモータを使用したりしなくともよくなり、ギアやモータのスペースを縮小することもできる。したがって、鏡枠１及び撮像装置１００の小型化を図ることができる。
【００６１】
また、本実施の形態では、折り曲げ光学素子としてのプリズム１０ａは、第１のズームレンズ２及び第２のズームレンズ３（３ａ，３ｂ）の光軸方向Ｄ１の入射側に位置し、入射光（入射光軸Ｌ２）を折り曲げる。そのため、折り曲げ光学系１０を用いた鏡枠１及び撮像装置１００は、ズームレンズ制御を前述のように小型化した構成で行うことができる。
【００６２】
また、本実施の形態では、入射レンズ１０ｂは、プリズム１０ａの入射側に位置し、カム板部材８は、第１のズームレンズ支持枠４及び第２のズームレンズ支持枠５よりも、入射レンズ１０ｂの入射光軸方向Ｄ２の入射側方向に設けられている。そのため、第１のズームレンズ支持枠４及び第２のズームレンズ支持枠５の周囲のスペースを有効活用することができ、より一層の小型化を図ることができる。
【００６３】
また、本実施の形態では、カム板部材８は、光軸方向Ｄ１と平行に、且つ入射レンズ１０ｂの入射面よりも入射光軸方向Ｄ２の入射側方向に突出しない位置に、設けられている。そのため、より一層の小型化を図ることができる。
【００６４】
また、本実施の形態では、カム板部材８を回動させる駆動部１１の少なくとも一部は、プリズム１０ａの反射面１０ａ−１の背面側に位置する。そのため、プリズム１０ａを一例とする折り曲げ光学素子により生じるスペースを有効活用することができ、より一層の小型化を図ることができる。
【００６５】
また、本実施の形態では、カム板部材８には、その外周部分に歯８ｃが形成されており、この歯８ｃに噛合するギア列（動力伝達部の一例）１２によって駆動部１１の動力が伝達される。そのため、本実施の形態では、減速比を大きくとることができ、より一層の小型化を図ることができる。
【００６６】
また、本実施の形態では、動力伝達部は、ギア列１２を有する（本実施の形態ではギア列１２のみからなる）。そのため、簡素な構成で小型化を図ることができる。
【００６７】
なお、本実施の形態では、第１のズームレンズ支持枠４のみに当接部分の一例である平面部４ａを設ける例について説明したが、当接部分は、第２のズームレンズ支持枠５のみに設けても、或いは第１のズームレンズ支持枠４及び第２のズームレンズ支持枠５の両方に設けてもよい。
【００６８】
また、本実施の形態では、第１のカム溝部８ａのみについて、当接状態となる際に第１のカムピン６が挿入されている部分８ａ−１の幅を他の部分の幅Ｗ１よりも広くしたが、このように幅を広くするのは、第２のカム溝部８ｂのみにしても、或いは第１のカム溝部８ａ及び第２のカム溝部８ｂの両方にしてもよい。
【００６９】
また、本実施の形態では、当接部分としての第１のズームレンズ支持枠４の平面部４ａは、第１のズームレンズ支持枠４の周縁の上面の一部に光軸方向Ｄ１と直交するように設けられている。また、被当接部分としての固定枠１３の平面部１３ｅは、カム板部材８を収容するカム板収容凹部１３ｂの内側に、第１のズームレンズ支持枠４の平面部４ａに対向するように光軸方向Ｄ１と直交して設けられている。しかしながら、当接部分及び被当接部分の位置、大きさ、向き等は適宜変更可能である。
【００７０】
また、本実施の形態では、平面部（当接部分）４ａと平面部（被当接部分）１３ｅとは、第１のカムピン６が第１のカム溝部８ａの端部に到達する前に当接するため、第１のカムピン６に力が加わるのを確実に抑えることができるが、平面部４ａ，１３ｅが互いに当接するのと同時に第１のカムピン６が第１のカム溝部８ａに当接することでも、第１のカムピン６に力が加わるのを少なからず抑えることができる。
【００７１】
また、本実施の形態では、第１のカム溝部８ａは、平面部４ａ，１３ｅが当接状態となる際に第１のカムピン６が挿入されている部分８ａ−１の幅Ｗ２が、当接状態とならない際に第１のカムピンが挿入されている部分の幅Ｗ１よりも広いため、第１のカム溝部８ａの幅方向へ第１のカムピン６に力が加わるのを抑えることができる。また、本実施の形態では、第１のカム溝部８ａの幅が一定であった場合でも、最も力の加わりやすい第１のカム溝部８ａの周方向へは第１のカムピン６に力が加わるのを抑えることができる。そのため、第１のカム溝部８ａの幅は一定としてもよい。
【００７２】
また、本実施の形態では、カム部材の一例として板形状のカム板部材８を用いるため前述のように小型化を図ることができるが、カムピンの一例である第１のカムピン６に力が加わるのを抑えるという観点では、カム部材は軸形状その他の形状を呈するものでもよい。
【００７３】
また、鏡枠１及び撮像装置１００は、折り曲げ光学系１０を備えないものでも、駆動部１１の少なくとも一部がプリズム１０ａの反射面１０ａ−１の背面側に位置しないものでもよい。
【００７４】
その他、本発明は、前述した実施の形態に限定されることなく、本発明の要旨を逸脱しない範囲内で種々の改良・変更が可能である。
【符号の説明】
【００７５】
１      鏡枠
２      第１のズームレンズ
３      第２のズームレンズ
３ａ    入射側レンズ
３ｂ    出射側レンズ
４      第１のズームレンズ支持枠
４ａ      平面部
５      第２のズームレンズ支持枠
６      第１のカムピン
７      第２のカムピン
８      カム板部材
８ａ      第１のカム溝部
８ｂ      第２のカム溝部
８ｃ      歯
８ｄ      中央貫通孔
９      撮像レンズ
１０      折り曲げ光学系
１０ａ      プリズム
１０ａ−１      反射面
１０ｂ      入射レンズ
１１      駆動部
１２      ギア列
１２ａ〜１２ｃ      ギア
１３      固定枠
１３ａ      カム板回動軸ピン
１３ｂ      カム板収容凹部
１３ｃ，１３ｄ      カムピン貫通用溝
１３ｅ      平面部
１４      ガイド軸
１００      撮像装置
１１０      撮像素子基板
１１１      撮像素子
１２０      制御部
Ａ１      光軸
Ａ２      入射光軸
Ｄ１      光軸方向
Ｄ２      入射光軸方向
【図１】
2012063476.tif 000003
【図２】
2012063476.tif 000004
【図３】
2012063476.tif 000005
【図４】
2012063476.tif 000006
【図５】
2012063476.tif 000007
【図６】
2012063476.tif 000008